(57)【特許請求の範囲】
【請求項１】
光ピックアップ本体と、対物レンズと、
上記対物レンズの露出面側に開閉自在に設けられるシャッタ片を有し、ディスク内周側で上記光ピックアップ本体の移動に伴って上記シャッタ片が開閉するシャッタ機構と、
上記対物レンズを上記シャッタ片が塞いだ状態で、上記シャッタ機構をロックするロック機構とを有し、
上記ロック機構は、
上記光ピックアップ本体に設けられた係合突起と、
上記対物レンズを塞ぐ位置に上記シャッタ片が回動すると、上記係合突起と対向する突状をなして上記シャッタ片に設けられ、上記シャッタ片の回動で上記係合突起を乗り越えて、上記対物レンズを塞いだ位置で上記シャッタ片を上記ピックアップ本体にロックするロック部を備えた
ことを特徴とする光ピックアップ装置。
【請求項２】
上記ロック機構は、上記ピックアップ本体の位置に拘らず、上記対物レンズを塞いだ上記シャッタ片を更に回動させることで、上記ロック部が上記係合突起を乗り越えて、上記シャッタ片がロックされると共に、上記シャッタ片を反対方向に回動させる力が与えられると、ロックが解除される
ことを特徴とする請求項１記載の光ピックアップ装置。
【請求項３】
上記係合突起は、上記シャッタ片の回動軌跡に沿った円弧状で上記光ピックアップ本体に設けられた長片リブにおいて、上記シャッタ片で上記対物レンズを塞ぐ方向の終端部に、径方向に突出して設けられた
ことを特徴とする請求項１記載の光ピックアップ装置。
【発明の詳細な説明】
【０００１】
【発明の属する技術分野】
この発明は、コンパクトディスク（ＣＤ）などのディスク状記録媒体に記録された情報を再生するような場合に適用して好適な光ピックアップ装置に関する。
【０００２】
詳しくは、対物レンズを塞いだ状態でシャッタ機構をロックできるロック機構を設けることによって、光ピックアップ装置を装置本体に組み込む前の保管、搬送、搬入の段階でも塵埃などが対物レンズに付着しないようにしたものである。
【０００３】
【従来の技術】
コンパクトディスク（ＣＤ）などのディスク状記録媒体に記録された情報を再生する場合には、光ピックアップ装置が使用される。この光ピックアップ装置には対物レンズが設けられ、この対物レンズを通してレーザ光をディスク面に照射し、ディスク面より反射された反射光をこの対物レンズを介して内部の光検出手段に導くようにしている。
【０００４】
対物レンズはそのレンズ面が外部に露出しているので、そのレンズ面に塵埃などが付着し易い。レンズ面に塵埃が付着すると、これが基で記録情報を正しく再生できないことが起こる。つまり読み取りエラーが発生する。
【０００５】
このような読み取りエラーの発生を防止するため、最近では光ピックアップ本体にシャッタ機構を設け、電源オフのような光ピックアップ装置を使用していないとき、対物レンズの露出面側をシャッタで塞ぎ、塵埃などが付着しにくくしたものが知られている。
【０００６】
【発明が解決しようとする課題】
ところで、このような光ピックアップ装置をコンパクトディスク（ＣＤ）装置、ミニディスク（ＭＤ）装置、ラジオカセットテープレコーダなどの電子機器に組み込む場合には、倉庫内に保管されたこの部品を組み立てラインまで輸送しなければならない。また、光ピックアップ装置を別の工場で組み立てているような場合には、組み立て終了後のこの光ピックアップ装置を保管したり、保管場所から最終組み立て工場まで搬入する必要がある。このような保管中、あるいは部品搬送中、さらには搬入部品を組み立てラインまで搬送する間で、部品である光ピックアップ装置に塵埃などが付着することが考えられる。特に、一般道路を使用した部品搬送中には塵埃等が部品に付着し易い環境下にある。
【０００７】
搬送あるいは搬入部品であるこの光ピックアップ装置には上述したようにシャッタ機構が取り付けられ、対物レンズを塞ぐことによって光ピックアップ装置の動作停止時、対物レンズへの塵埃の付着を防止できるようになっている。
【０００８】
しかし、そのためには光ピックアップ本体が常にディスク内周側に位置していなければならない。通常光ピックアップ装置を組み立てる場合、最終工程で光ピックアップ本体が常に内周側に移動させるようなマニュアルとはなっていない。これはもし、そのようなマニュアルを策定すると、光ピックアップ本体を常に内周側に位置させるという作業を追加しなければならないからである。これは作業工数の増大となり、コストパフォーマンスを低下させる要因となる。
【０００９】
そこで、この発明はこのような作業工数の増加を持たらすことなく、対物レンズへの塵埃付着を防止できるようにした光ピックアップ装置を提案するものである。
【００１０】
【課題を解決するための手段】
上述の課題を解決するため、請求項１に記載したこの発明に係る光ピックアップ装置では、光ピックアップ本体と、対物レンズと、対物レンズの露出面側に開閉自在に設けられるシャッタ片を有し、ディスク内周側で光ピックアップ本体の移動に伴ってシャッタ片が開閉するシャッタ機構と、対物レンズをシャッタ片が塞いだ状態で、シャッタ機構をロックするロック機構とを有し、ロック機構は、光ピックアップ本体に設けられた係合突起と、対物レンズを塞ぐ位置にシャッタ片が回動すると、係合突起と対向する突状をなしてシャッタ片に設けられ、シャッタ片の回動で係合突起を乗り越えて、対物レンズを塞いだ位置でシャッタ片をピックアップ本体にロックするロック部を備えたことを特徴とする。
【００１１】
この発明では、全ての部品を組み込んだ最終工程のとき、光ピックアップ本体の摺動位置に拘わらずシャッタ片となるリーフを回してロックさせる。このロック作業で対物レンズはリーフによって塞がれる。この状態で保管され、搬送（輸送）、搬入される。
【００１２】
したがって、部品保管中、搬送中あるいは搬入中に塵埃などが対物レンズに付着することはない。部品の最終組み込み作業のとき、作業者の手でシャッタロックが外される。
【００１３】
【発明の実施の形態】
続いて、この発明に係る光ピックアップ装置の一実施形態を図面を参照して詳細に説明する。
【００１４】
図１はこの発明に係る光ピックアップ装置の一実施形態であって、周知のようにディスク例えばコンパクトディスクはスレッドモータ２０に取り付けられたターンテーブル（図示せず）に装着されて駆動される。光ピックアップ装置は上述したスレッドモータ２０によってディスク内周側と外周側との間の移動力が付与される。
【００１５】
光ピックアップ装置１０にはこれに設けられた対物レンズ２６に対するシャッタ機構３０が設けられる。図１はシャッタ機構３０に設けられたシャッタ片であるリーフ３２が開いた状態を、図２は閉じた状態を示す。
【００１６】
図１に示すように、光ピックアップ装置１０は光ピックアップ本体１２を有し、これがメカシャーシ１４の長孔１４ａ内に摺動自在に配される。この例ではシャフト１６と、ガイド板１８とによって矢印ｋ方向にスライドできるように構成されている。そのため、メカシャーシ１４側には駆動手段であるスレッドモータ２０が設けられ、これに伝達ギア２２が取り付けられ、一方光ピックアップ本体１２側にはラック２４が形成され、スレッドモータ２０によって矢印ｋ方向にスライドする駆動力が付与される。
【００１７】
光ピックアップ本体１２のほぼ中央部の段部１３頂面側には例えば２軸駆動型の対物レンズ２６が取り付けられ、この対物レンズ２６の露出したレンズ面側を塞ぐようにシャッタ機構３０が取り付けられる。
【００１８】
シャッタ機構３０は図３に示すようにほぼＬ字状をなすリーフ３２が軸３５を中心に回動自在に取り付けられる。この軸３５は段部１３に形成された軸受け用孔３４に挿通されている。リーフ３２の先端部はコ字状に折り曲げられ、ガイド片３３に当接した状態で回動できるようになされている。このリーフ３２は常時は対物レンズ２６を塞がないように弦巻バネ３６によって反時計方向に付勢されている。
【００１９】
リーフ３２の垂直部３２ａの末端部には図３に示すような切り欠き段部３８が形成され、この切り欠き段部３８と対向するメカシャーシ１４上には突起４０が取り付け固定されている。
【００２０】
電源がオフされたような光ピックアップ装置１０を使用しないときには、光ピックアップ装置１０はディスク内周側に移動した状態で停止している。このディスク内周側への移動によって、光ピックアップ本体１２は図２のようにスライドするので、最内周まで光ピックアップ本体１２が移動すると、その直前から突起４０が切り欠き段部３８に当接してリーフ３２を時計方向に回動させる。最内周まで光ピックアップ本体１２が移動すると、リーフ３２は対物レンズ２６の真上まで回動されるので、リーフ３２の平坦面３２ｂによって対物レンズ２６のレンズ面が塞がれる。これで、対物レンズ２６への塵埃などの付着が防止される。
【００２１】
シャッタ機構３０が動作するのは、光ピックアップ本体１２がディスクの内周側に形成された履歴情報の記録エリアつまりＴＯＣエリアを越えてからである。ＴＯＣエリア内でシャッタ機構３０が作動するとＴＯＣ情報を読み取れなくなるからである。
【００２２】
しかし、再生モードのようなときには光ピックアップ本体１２をＴＯＣエリア内に停止させてＴＯＣ情報を読み取る必要がある。そのため、ＴＯＣエリア内で光ピックアップ本体１２を停止させ、電源オフのような場合にはＴＯＣエリアよりもさらに最内周まで光ピックアップ本体１２を移動させて停止させるために、ＴＯＣエリア内に相当する位置に図４に示すような検出スイッチ（ＳＷ）４４が設けられている。
【００２３】
検出スイッチとしては種々のスイッチが知られているが、この例の場合、光ピックアップ本体１２が外周側にあるときオフ、光ピックアップ本体１２が内周側へ移動してその所定位置を検出する場合オンするスイッチを用いる。この他にオン、オフ逆の動作で位置検出するスイッチを用いることができる。
【００２４】
この例では、メカシャーシ１４の下側であって、丁度シャフト１６の真下に検出スイッチ４４が配され、これと対向する光ピックアップ本体１２の一部、つまりシャフト挿通部に当接片４２が設けられている。
【００２５】
図２のリーフ回動状態は光ピックアップ本体１２がＴＯＣエリアまで到達し、検出スイッチ４４がオンした状態であって、光ピックアップ本体１２がさらにディスク内周側（ホームポジション）まで移動し、シャッタ機構３０が完全に動作した状態（閉じた状態）、つまり電源オフの状態を示す。
【００２６】
光ピックアップ本体１２をさらに内周側まで移動させるには、通常一定時間さらに通電して光ピックアップ本体１２をメカシャーシ１４の透孔１４ａの端面に当てるようにしている。これはシャッタを完全に閉じるためである。
【００２７】
図２に示すシャッタが閉じた状態は、電源オフ以外にも、例えばこの光ピックアップ装置がラジカセのような複合電子機器に搭載されているときは、ＣＤ再生モードから他のファンクションに切り替えられたようなときにも同じような状態で光ピックアップ本体１２がホームポジションに停止する。
【００２８】
この発明ではこのようなシャッタ機構３０の付いた光ピックアップ装置１０において、さらにこのシャッタ機構３０をロックするロック機構６０が設けられる。このロック機構６０は通常動作時、つまり光ピックアップ装置１０を装置本体に組み込んだ後は使用されない。そのため、図２のリーフ３２の回動位置よりもさらに時計方向にリーフ３２を手動で回動させた位置（二点差線図示の位置）でロック機構６０が働くように構成されている。
【００２９】
ロック機構６０は光ピックアップ本体１２に設けられた係合突起６４と、リーフ３２に設けられたロック部６８とで構成される。次にその構成を具体的に説明する。
【００３０】
ピックアップ本体１２の外周面には上述したようにリーフ３２の回動（開閉）をスムーズに行うためのガイド３３が設けられているが、この発明ではさらにこのガイド３３と並行すると共にピックアップ本体１２の頂面側に沿って、ガイドとしても機能する長片リブ６２が設けられる。そのため、この長片リブ６２はリーフ３２の回動軌跡に沿うように扇形円弧状となされ、その終端部には半径方向に突出した係合突起６４が設けられている。
【００３１】
これに対して、リーフ３２の先端部は図３のようにコ字状に折り曲げられた誘導片６６が一体に形成され、この誘導片６６の内面であって上述の係合突起６４と対向する位置には突状をなすロック部６８が一体形成される。
【００３２】
このように構成された光ピックアップ装置１０にあって、これが装置本体に組み込まれた後の装置使用中におけるシャッタ開閉動作は上述した通りである。
【００３３】
次に、この光ピックアップ装置１０が装置本体の組み込まれる前の状態について説明すると、上述したストッパ４０にリーフ３２の切り欠き段部３８が当接すると、リーフ３２によって対物レンズの上面が完全に塞がれる。これも上述した。
【００３４】
このリーフ３２の回動位置よりもさらに時計方向にリーフ３２を回動させ、図２二点差線状態まで回動すると、このとき初めてロック部６８が係合突起６４と対向するようになる。この係合突起６４をロック部６８が乗り越えるようにさらにリーフ３２を手動で回動させる。そうすると、これら係合突起６４とロック部６８の作用でリーフ３２が光ピックアップ本体１２にロックされる。
【００３５】
リーフ３２のロックを解除するには、リーフ３２を反時計方向に僅かに回動させる力を作業者がこのリーフ３２に与えれば、ロック状態を簡単に解除できる。
【００３６】
したがって、光ピックアップ装置１０の組み立て作業が終了した段階で、作業者がリーフ３２をロックするような作業手順とすることによって、工場内での保管、搬送中に塵埃が対物レンズ２６に付着するのを防止できる。同様に、この光ピックアップ装置を別工場に輸送したり、その工場内に保管したり、組み立てラインまでの搬入作業中でも、対物レンズ２６がリーフ３２によって塞がれているので塵埃などが対物レンズ２６に付着するのを有効に防止できる。
【００３７】
さらに、対物レンズ２６のレンズ面側をリーフ３２で塞いだ場合、部品搬送中物が当たったりした場合でもレンズを保護できる。つまり傷の付きにくい光ピックアップ装置１０を実現できる。
【００３８】
装置本体への組み込みが終了した段階で、作業者によってリーフ３２のロックが解除されるが、このとき光ピックアップ本体１２は切り欠き孔１４内のどのような摺動位置にあっても差し支えない。手動でロックするだけであるため、摺動位置には拘泥されない。
【００３９】
上述では係合突起６４を長片リブ６２の一部に設けたが、光ピックアップ本体１２そのものに形成することもでき、またリーフ３２のロック機構６０は上述した係合突起６４とロック部６８以外の構成によっても実現できる。
【００４０】
【発明の効果】
以上説明したようにこの発明では、対物レンズを塞いだ状態でシャッタ機構をロックできるロック機構を設けたものである。
【００４１】
これによって、光ピックアップ装置を装置本体に組み込む前に、光ピックアップ装置を工場内に保管したり、工場内外での搬送、搬入あるいは組立ラインに移送したりする段階でも、塵埃などが対物レンズに付着するのを効果的に防止できる。またこのようなロック機構を付加しても、組立作業工数が増大したりすることがないので、作業効率の低下をきたさない。
【００４２】
したがってこの発明は上述したコンパクトディスクやミニディスクなどに用いられる光ピックアップ装置に適用して極めて好適である。
【図面の簡単な説明】
【図１】この発明に係る光ピックアップ装置の一実施形態を示す構成図である。
【図２】光ピックアップ装置の一実施形態であって、シャッタ機構が閉じた状態を示す構成図である。
【図３】光ピックアップ装置の側面図である。
【図４】光ピックアップ装置の他方の側面図である。
【符号の説明】
１０  光ピックアップ装置
１２  光ピックアップ本体
２０  スレッドモータ
２６  対物レンズ
３０  シャッタ機構
３２  リーフ（シャッタ）
４４  検出スイッチ
６０  シャッタ機構
６２  誘導片
６４  係合突起
６６  ロック部
【図１】
0004106786.tif 000002
【図２】
0004106786.tif 000003
【図３】
0004106786.tif 000004
【図４】
0004106786.tif 000005